(57)【要約】  本発明に係る車両のハンドルに取り付けられる携帯電話ホルダーは、所定の厚さを有し、車両のハンドルの中心部に固定支持されるハンドル支持部と、前記ハンドル支持部の中心を貫通して設けられる締結ホールと、前記締結ホールの上端の内周面に沿って設けられ、前記締結ホールの中心方向に突出する固定突起と、前記固定突起上に少なくとも一つ設けられ、前記締結ホールの内周面の方向に陥没するハンドル支持部締結溝と、所定の厚さを有し、ユーザーの携帯端末の背面に固定支持される携帯端末支持部と、前記携帯端末支持部の外側面に設けられ、外側方向に突出する携帯端末締結突起とを含んでなる。
2017523943.tif 000002
【特許請求の範囲】
【請求項１】
車両のハンドルの中心部に固定され、ユーザーが携帯する携帯電話を固定する携帯電話ホルダーにおいて、
所定の厚さを有し、車両のハンドルの中心部に固定支持されるハンドル支持部と、
前記ハンドル支持部の中心を貫通して設けられる締結ホールと、
前記締結ホールの上端の内周面に沿って設けられ、前記締結ホールの中心方向に突出する固定突起と、
前記固定突起上に少なくとも一つ設けられ、前記締結ホールの内周面の方向に陥没するハンドル支持部締結溝と、
所定の厚さを有し、ユーザーの携帯端末の背面に固定支持される携帯端末支持部と、
前記携帯端末支持部の外側面に設けられ、外側方向に突出する携帯端末締結突起とを含んでなり、
前記携帯端末支持部は、
前記締結ホールに対応する形状をし、前記携帯端末支持部が前記締結ホールに挿入された状態で一側方向または他側方向に回転することにより、前記携帯端末締結突起、ハンドル支持部締結溝および固定突起により前記携帯端末支持部を前記ハンドル支持部に対して着脱可能であり、
前記携帯端末支持部の背面には、
外力によって断面が凸状をなして長さ方向に沿って伸びるか、或いは断面が凹状に変形しながら長さ方向に沿って円弧状に折り曲げられて携帯端末を傾斜支持することが可能な弾性プレート、および
前記弾性プレートを包みながら両側が前記携帯端末支持部の背面に接着固定される被覆部を含む弾性支持部材が備えられることを特徴とする、車両のハンドルに取り付けられる携帯電話ホルダー。
【請求項２】
前記ハンドル支持部の上端面には、広報物を付着させることが可能な広告部が少なくとも一つ設けられることを特徴とする、請求項１に記載の車両のハンドルに取り付けられる携帯電話ホルダー。
【請求項３】
前記ハンドルの後方には、
一側が車両の電源供給部に接続され、内側には前記電源供給部の電源を伝達するケーブルが巻き取られて設けられる固定部と、
前記ハンドルの後端に設けられて前記ハンドルと一緒に回動し、前記固定部の内側に巻き取られて設けられるケーブルに接続される回転部と、
前記回転部の前端に延設され、前記ハンドル支持部の一側の側面へ電源を供給するハンドル支持部電源供給端子と、
前記ハンドル支持部の他側に突設され、端部には携帯端末の充電端子が締結される携帯端末電源供給端子とをさらに含んでなることを特徴とする、請求項１に記載の車両のハンドルに取り付けられる携帯電話ホルダー。
【請求項４】
前記固定部の前端には、
内側に巻き取られて設けられるケーブルの引き抜きおよび引き込みを容易にするローラーがさらに設けられることを特徴とする、請求項３に記載の車両のハンドルに取り付けられる携帯電話ホルダー。
【請求項５】
前記携帯端末支持部の上端には、
携帯端末の映像を無線通信で受信して映像を出力する映像出力部がさらに設けられることを特徴とする、請求項１に記載の車両のハンドルに取り付けられる携帯電話ホルダー。
【請求項６】
前記携帯端末支持部には、
前記携帯端末支持部の上端で独立して回動自在に回動部がさらに設けられ、
前記回動部の内側には、
前記回動部の中心部に設けられるベアリングと、前記回動部の下端に設けられ、所定の方向に荷重を発生させるウェイトとがさらに設けられ、
前記回動部は、前記ハンドルが一側方向に回転するとき、前記ベアリングおよび前記ウェイトにより他側方向に回転して同じ傾きを維持することを特徴とする、請求項５に記載の車両のハンドルに取り付けられる携帯電話ホルダー。
【発明の詳細な説明】
【発明の詳細な説明】
【０００１】
［技術分野］
本発明は、車両のハンドルの中心部に取り付けられ、携帯端末を固定する携帯電話ホルダーに係り、簡単な操作によって携帯端末を車両のハンドルに固定することができ、使用中にも継続的に充電することができ、携帯電話の映像を受信して同じ映像を車両のハンドルの中心部に出力することができる、車両のハンドルに設置される携帯電話ホルダーに関する。
［背景技術］
最近、スマートフォンやタブレットＰＣなどを含む様々な種類の携帯端末が開発されて広く用いられている。
【０００２】
このような携帯端末を車両の内部に固定するためには、公開特許１０−２０１２−０１３６４７５号を始めとする多数の先行文献に開示されている車載ホルダーを用いて、携帯端末を車両のフロントガラスの内側面に固定することが一般的である。
【０００３】
しかし、このような車両用ホルダーは、携帯端末を車両のフロントガラスに近接するように固定することで、携帯端末を車載ホルダーに固定した状態で携帯端末を操作することが非常に面倒であるという問題があった。
【０００４】
また、車両の運行中に、運転者は、携帯端末を視聴するために視野を移さなければならないので、前方を持続的に注視することができなくて交通事故の危険が常に存在するという問題点があった。
【０００５】
また、運転者が携帯端末を操作するためには腕を長く伸ばした状態で小さなボタンを押さなければならないので、操作性が非常に不便であり、運転者が携帯端末を操作する場合には、前方を全く注視せずに操作をしなければならない携帯端末を集中して注視しなければならないので、事故の危険が非常に高くなるという問題点があった。
【０００６】
また、従来の携帯電話ホルダーは、鉗子の方式で構成されるなど、ユーザーが両手を使って携帯電話を据え置かなければならない不便さを含んでいるという問題点があった。
［発明の概要］
［発明が解決しようとする課題］
本発明は、かかる問題点を改善するためになされたもので、その目的は、携帯端末の締結突起および固定突起によって携帯端末を一側方向または他側方向への簡単な操作のみでハンドルの中心部に固定することができる、車両のハンドルに取り付けられる携帯電話ホルダーを提供することにある。
【０００７】
本発明の他の目的は、車両のハンドルに固定した状態でも車両の電源供給部の電源を受け取って携帯端末へ電源を供給することができる、車両のハンドルに取り付けられる携帯電話ホルダーを提供することにある。
【０００８】
本発明の別の目的は、着脱可能に取り付けられる映像出力部が設けられ、携帯端末の映像を無線通信で受信して携帯端末以外にハンドルの中心部で映像を出力することができる、車両のハンドルに取り付けられる携帯電話ホルダーを提供することにある。
【０００９】
本発明が解決しようとする技術的課題は上述した技術的課題に制限されず、上述していない別の技術的課題は以降の記載から本発明の属する技術分野における通常の知識を有する者に明確に理解できるであろう。
［課題を解決するための手段］
本発明に係る車両のハンドルに取り付けられる携帯電話ホルダーは、車両のハンドルの中心部に固定され、ユーザーが携帯する携帯電話を固定する携帯電話ホルダーにおいて、所定の厚さを有し、車両のハンドルの中心部に固定支持されるハンドル支持部と、前記ハンドル支持部の中心を貫通して設けられる締結ホールと、前記締結ホールの上端の内周面に沿って設けられ、前記締結ホールの中心方向に突出する固定突起と、前記固定突起上に少なくとも一つ設けられ、前記締結ホールの内周面の方向に陥没するハンドル支持部締結溝と、所定の厚さを有し、ユーザーの携帯端末の背面に固定支持される携帯端末支持部と、前記携帯端末支持部の外側面に設けられ、外側方向に突出する携帯端末締結突起とを含んでなり、前記携帯端末支持部は、前記締結ホールに対応する形状をし、前記携帯端末支持部が前記締結ホールに挿入された状態で一側方向または他側方向に回転することにより、前記携帯端末締結突起、ハンドル支持部締結溝および固定突起により前記携帯端末支持部を前記ハンドル支持部に対して着脱可能であり、前記携帯端末支持部の背面には、外力によって断面が凸状をなして長さ方向に沿って伸びるか、或いは断面が凹状に変形しながら長さ方向に沿って円弧状に折り曲げられて携帯端末を傾斜支持することが可能な弾性プレート、および前記弾性プレートを包みながら両側が前記携帯端末支持部の背面に接着固定される被覆部を含む弾性支持部材が備えられることを特徴とする。
【００１０】
前記ハンドル支持部の上端面には、広報物を付着させることが可能な広告部が少なくとも一つ設けられることを特徴とする。
【００１１】
前記ハンドルの後方には、一側が車両の電源供給部に接続され、内側には前記電源供給部の電源を伝達するケーブルが巻き取られて設けられる固定部と、前記ハンドルの後端に設けられて前記ハンドルと一緒に回動し、前記固定部の内側に巻き取られて設けられるケーブルに接続される回転部と、前記回転部の前端に延設され、前記ハンドル支持部の一側の側面へ電源を供給するハンドル支持部電源供給端子と、前記ハンドル支持部の他側に突設され、端部には携帯端末充電端子が締結される携帯端末電源供給端子とをさらに含んでなることを特徴とする。
【００１２】
前記固定部の前端には、内側に巻き取られて設けられるケーブルの引き抜きおよび引き込みを容易にするローラーがさらに設けられることを特徴とする。
【００１３】
前記携帯端末支持部の上端には、携帯端末の映像を無線通信で受信して映像を出力する映像出力部がさらに設けられることを特徴とする。
【００１４】
前記携帯端末支持部には、前記携帯端末支持部の上端で独立して回動自在に回動部がさらに設けられ、前記回動部の内側には、前記回動部の中心部に設けられるベアリングと、前記回動部の下端に設けられ、所定の方向に荷重を発生させるウェイトとがさらに設けられ、前記回動部は、前記ハンドルが一側方向に回転するとき、前記ベアリングおよび前記ウェイトにより他側方向に回転して同じ傾きを維持することを特徴とする。
［発明の効果］
上述したような構成の本発明によれば、次の効果を図ることができる。
【００１５】
携帯端末締結突起および固定突起によって携帯端末を一側方向または他側方向への簡単な操作のみでハンドルの中心部に固定することができるという効果がある。
【００１６】
また、車両のハンドルに固定した状態でも車両の電源供給部の電源を受け取って携帯端末へ電源を供給することができるという効果がある。
【００１７】
また、着脱可能に取り付けられる映像出力部が設けられ、携帯端末の映像を無線通信で受信し、携帯端末以外にハンドルの中心部で映像を出力することができるという効果がある。
［図面の簡単な説明］
［図１］本発明に係る車両のハンドルに取り付けられる携帯電話ホルダーの装着状態を示す正面図である。
【００１８】
［図２］本発明に係る車両のハンドルに取り付けられる携帯電話ホルダーを示す分解斜視図である。
【００１９】
［図３］本発明に係る車両のハンドルに取り付けられる携帯電話ホルダーの平面図である。
【００２０】
［図４］本発明に係る車両のハンドルに取り付けられる携帯電話ホルダーの締結状態を示す側断面図である。
【００２１】
［図５］本発明に係る車両のハンドルに取り付けられる携帯電話ホルダーの締結状態を示す平面図である。
【００２２】
［図６］本発明に係る車両のハンドルに取り付けられる携帯電話ホルダーの映像出力部を示す正面図である。
【００２３】
［図７］本発明に係る車両のハンドルに取り付けられる携帯電話ホルダーの弾性支持部材が変形する前の状態を示す正面図および側面図である。
【００２４】
［図８］本発明に係る車両のハンドルに取り付けられる携帯電話ホルダーの弾性支持部材が変形した状態を示す側面図である。
【００２５】
［図９］本発明に係る車両のハンドルに取り付けられる携帯電話ホルダーの弾性支持部材が変形した状態を示す斜視図である。
［符号の説明］
Ｈ    ハンドル
Ｃ    ケーブル
１０    携帯端末
２０    ハンドル支持部
２２    締結ホール
２４    締結突起
２６    ハンドル支持部締結溝
２８    広告部
３０    携帯端末支持部
３２    携帯端末締結突起
４０    固定部
４２    回転部
４４    ハンドル支持部電源供給端子
４６    携帯端末電源供給端子
４８    ローラー
５０    映像出力部
６０    回動部
６２    ベアリング
６４    ウェイト
７０    弾性支持部材
［発明を実施するための形態］
本発明の利点、特徴、およびそれらを達成する方法は、添付図面と共に詳細に後述されている実施形態を参照すると明確になるだろう。しかし、本発明は、ここで説明する実施形態に限定されるものではなく、互いに異なる多様な形態に実現できる。むしろ、ここで紹介される実施形態は、本発明の開示を完全たるものにし且つ本発明の属する技術分野における通常の知識を有する者に本発明の思想を十分に伝達するために提供されるものである。
【００２６】
図面において、層および領域の厚さは明確性を期するために誇張されたものである。
【００２７】
上端、下端、上面、下面、または上部、下部などの用語は構成要素において相対的な位置を区別するために使用されるものである。
【００２８】
例えば、便宜上、図面上の上側を上部、図面上の下側を下部と命名する場合、実際においては、本発明の権利範囲を外れることなく、上部は下部、下部は上部とそれぞれ命名できる。
【００２９】
本出願において使用した用語は、単に特定の実施形態を説明するためのもので、本発明を制限するものではない。単数型は、特に言及しない限り、複数型も含む。
本出願において、「含む」または「有する」などの用語は、明細書上に記載された特徴、数字、段階、動作、構成要素、部分品またはこれらの組み合わせが存在することを指定し  ようとするものであり、一つまたはそれ以上の他の特徴、数字、段階、動作、構成要素、部分品またはこれらの組み合わせなどの存在または付加の可能性を予め排除しないものと理解されなければならない。
【００３０】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味があるものと解釈されなければならず、本明細書で明らかに定義しない限り、理想的な意味または過度に形式的な意味に解釈されない。
【００３１】
以下に添付図面を参照しながら、本発明の好適な実施形態についてさらに説明する。
【００３２】
図１は本発明に係る車両のハンドルに取り付けられる携帯電話ホルダーの装着状態を示す正面図、図２は本発明に係る車両のハンドルに取り付けられる携帯電話ホルダーを示す分解斜視図、図３は本発明に係る車両のハンドルに取り付けられる携帯電話ホルダーの平面図、図４は本発明に係る車両のハンドルに取り付けられる携帯電話ホルダーの締結状態を示す側断面図、図５は本発明に係る車両のハンドルに取り付けられる携帯電話ホルダーの締結状態を示す平面図、図６は本発明に係る車両のハンドルに取り付けられる携帯電話ホルダーの映像出力部を示す正面図、図７は本発明に係る車両のハンドルに取り付けられる携帯電話ホルダーの弾性支持部材が変形する前の状態を示す正面図および側面図、図８は本発明に係る車両のハンドルに取り付けられる携帯電話ホルダーの弾性支持部材が変形した状態を示す側面図、図９は本発明に係る車両のハンドルに取り付けられる携帯電話ホルダーの弾性支持部材が変形した状態を示す斜視図である。
【００３３】
本発明の一実施形態では、図示の如く、車両に設置されるハンドルＨと、前記ハンドルＨの中心部に設置されるハンドル支持部２０と、前記ハンドル支持部２０の中心に設けられる締結ホール２２と、前記締結ホール２２の上端内周面に沿って設けられる固定突起２４と、前記固定突起２４上に少なくとも一つ設けられるハンドル支持部締結溝２６と、所定の厚さを有し、ユーザーの携帯端末１０の背面に設置される携帯端末支持部３０と、前記携帯端末支持部３０の外側面に突設される携帯端末締結突起３２とを含む構造であることを把握することができる。
【００３４】
まず、本発明の車両ハンドルに取り付けられる携帯電話ホルダーにはハンドル支持部２０が設けられる。前記ハンドル支持部２０は、所定の厚さを有し、車両のハンドルＨの中心部に固定支持されるように設けられる。
【００３５】
すなわち、前記ハンドル支持部２０は、支持力を発現することができるように所定の厚さを有し、前記ハンドルＨの中心部に接着して固定設置されるように構成される。
また、前記ハンドル支持部２０は、ユーザーの好みに応じて円形、多角形、非線形などの様々な形状に製作することができる。但し、前記ハンドル支持部２０は、一定の面を形成する前記ハンドルＨの中心部の面積よりも小さく形成することが好ましい。
【００３６】
前記ハンドル支持部２０の中心には締結ホール２２が設けられる。前記締結ホール２２は前記ハンドル支持部２０の中心を貫通して設けられる。
【００３７】
すなわち、前記締結ホール２２は、前記ハンドル支持部２０の上端面から下端面まで貫通して設けられ、後述の携帯端末支持部３０が挿入できるようにする役割を果たす。
また、前記締結ホール２２は、エアバッグが装着される前記ハンドルＨの中心部をオープンさせる役割を果たす。これは、車両の事故発生によりエアバッグが作動する際に、前記締結ホール２２によってエアバッグが正常に作動するようにする役割を果たすものである。
【００３８】
前記締結ホール２２の内周面には固定突起２４が設けられる。前記固定突起２４は、前記締結ホール２２の上端内周面に沿って設けられ、前記締結ホール２２の中心方向に突出する。
【００３９】
すなわち、前記固定突起２４は、前記締結ホール２２の上端内周面に沿って所定の長さだけ突設され、後述される携帯端末締結突起３２を固定支持する役割を果たす。
より詳しくは、前記固定突起２４は前記締結ホール２２の上端内周面に沿って設けられ、前記携帯端末締結突起３２は、前記締結ホール２２に挿入された後、回転により前記固定突起２４の下端面に固定されるようにする。つまり、前記固定突起２４は、前記締結ホール２２の上端内周面に位置し、前記携帯端末締結突起３２は、前記締結ホール２２の下端内周面に位置し、後述される携帯端末支持部３０を固定支持する。
【００４０】
前記固定突起２４上には少なくとも一つのハンドル支持部締結溝２６が設けられる。前記ハンドル支持部締結溝２６は、前記固定突起２４上に少なくとも一つ設けられ、前記締結ホール２２の内周面方向に陥没する。
【００４１】
すなわち、前記ハンドル支持部締結溝２６は、前記固定突起２４が前記締結ホールの内周面まで陥没して設けられ、後述される携帯端末締結突起３２が前記締結ホール２２の内側に挿入できるようにする役割を果たす。
【００４２】
また、前記ハンドル支持部締結溝２６は、前記固定突起２４上で向かい合う方向に２個が設けられることが好ましい。これは、前記携帯端末支持部３０が前記締結ホール２２に挿入されて前記固定突起２４によって固定されるとき、２点支持方式により前記携帯端末支持部３０を安定的に支持することができるようにする役割を果たすものである。
【００４３】
また、直線状に対向して設けられる前記ハンドル支持部締結溝２６は、前記ハンドル支持部２０の上端面から水平方向を基準として一定の角度だけ傾いて設けられる。
【００４４】
これは、後述される携帯端末支持部３０が挿入されて携帯端末１０を支持するとき、前記携帯端末１０が垂直または水平状態を保つことができるようにする役割を果たす。すなわち、一定の角度だけ傾いて設けられる前記ハンドル支持部締結溝２６によって、後述される携帯端末締結突起３２が締結後には前記固定突起２４の下端面に常に位置するようにするのである。
【００４５】
また、本発明は、携帯端末支持部３０が設けられる。前記携帯端末支持部３０は、所定の厚さを有し、ユーザーが携帯する携帯端末１０の背面に固定支持されるように設けられる。
【００４６】
すなわち、前記携帯端末支持部３０は、支持力を発現することができるように所定の厚さを有し、前記携帯端末１０の背面に接着して固定設置されるように構成される。
また、前記携帯端末支持部３０は、上端面に前記携帯端末１０が固定された状態で前記締結ホール２２の内側に挿入されるが、後述される携帯端末締結突起３２が前記固定突起２４の下端面に位置しながら、前記携帯端末支持部３０が前記ハンドル支持部２０の中心部に固定支持されるようにするのである。
【００４７】
つまり、前記携帯端末支持部３０は、前記締結ホール２２に対応する形状をし、その内径が前記締結ホール２２の内径と同じか或いはそれより小さく設けられ、前記携帯端末支持部３０が前記締結ホール２２の内側に挿入されるように構成される。
【００４８】
前記携帯端末支持部３０の外側面には携帯端末締結突起３２が設けられる。前記携帯端末締結突起３２は、前記携帯端末支持部３０の外側面に外側方向に所定の長さだけ突出するように設けられ、その周りの長さは前記ハンドル支持部締結溝２６よりも小さい。
【００４９】
これは、前記携帯端末締結突起３２が前記ハンドル支持部２０の締結ホール２２に挿入されるようにするためである。
【００５０】
つまり、前記携帯端末支持部３０は、前記締結ホール２２に対応する形状をするとともに、携帯端末締結突起３２が前記固定突起２４の下端に位置するように、前記締結ホール２２に挿入された状態で一側または他側方向に回転する。これにより、前記携帯端末支持部３０を前記ハンドル支持部２０に対して着脱することができる。
【００５１】
また、前記携帯端末支持部３０の背面には、携帯端末１０を傾斜支持する弾性支持部材７０が備えられてもよい。詳しくは、図７〜図９に示すように、前記弾性支持部材７０は弾性プレートおよび被覆部を含んでなる。
【００５２】
前記弾性プレートは、弾性を持つ材質で形成される板バネからなり、外力によって断面が凸状をなしながら長さ方向に沿って伸びるか、或いは断面が凹状に変形しながら長さ方向に沿って円弧状に折り曲げられて携帯端末１０を傾斜支持することができる。そして、前記被覆部は弾性プレートを被覆形態で包みながら両側が前記携帯端末支持部の背面と両面テープまたはボンドなどによって接着固定される。
【００５３】
また、前記携帯端末締結突起３２は、上端面が前記携帯端末１０の背面から一定の間隔離隔するように設けられる。これは、前記携帯端末締結突起３２が前記固定突起２４の下端面に位置するようにする役割を果たすものである。
【００５４】
また、前記ハンドル支持部２０の上端面には広告部２８が設けられる。前記広告部２８は、前記ハンドル支持部２０の上端面に少なくとも一つ設けられ、広報物を付着させる役割を果たす。たとえば、前記広告部２８にはメーカーを表す広報物が挿入でき、前記広告部２８に設置される広報物は夜間に光を発光する蓄光物質から出来てもよい。
【００５５】
前記ハンドルＨの後方には、電源を伝達するケーブルＣが巻き取られて設けられる固定部４０と、前記固定部４０の内側に巻き取られて設けられる前記ケーブルＣに接続される回転部４２と、前記回転部４２の前端に延設されるハンドル支持部電源供給端子４４と、前記ハンドル支持部２０の他側に突設される携帯端末電源供給端子４６とをさらに含んで構成できる。
【００５６】
まず、前記ハンドルＨの後方には固定部４０が設けられる。前記固定部４０は、一側が車両の電源供給部に接続され、内側には前記電源供給部の電源を伝達する前記ケーブルＣが巻き取られて設けられる。すなわち、前記固定部４０は、回転する前記ハンドルＨの後方の車両に固定されて設置され、内側には前記電源供給部の電力を伝達する前記ケーブルＣが引き抜きまたは引き込みされるようにぜんまい方式で巻き取られて設けられる。
【００５７】
このとき、前記ケーブルＣの後端に接続される前記電源供給部は、一般に車両の内部で電源を供給することができるように、シガージャックに接続できる端子からなることが好ましい。
【００５８】
前記ハンドルＨの後端には回転部４２が設けられる。前記回転部４２は、前記ハンドルＨの後端に設けられて前記ハンドルＨと一緒に回動し、後端は前記固定部４０の内側に巻き取られて設けられる前記ケーブルＣに接続される。
【００５９】
すなわち、回転部４２は、回転する前記ハンドルＨの後端に固定されて設置され、後端に固定接続されて設置される前記ケーブルＣを前記固定部４０から引き抜かせる役割を果たす。より詳しくは、前記回転部４２が前記ハンドルＨと一緒に一側方向に回転するとき、前記ハンドルＨが回転した分だけ、前記固定部４０の内側に巻き取られている前記ケーブルＣを前記固定部４０の外側に引き抜かせるのである。一方、一側方向に回転した前記ハンドルＨが他側方向に回転すると、前記回転部４２の後端に接続された前記ケーブルＣは前記固定部４０の内側に引き込まれる。これにより、電源を供給する前記ケーブルＣは、前記固定部４０および回転部４２によって絡まず、前記固定部４０の内側および外側に引き込みまたは引き抜きされるようにする。
【００６０】
前記回転部４２の前端にはハンドル支持部電源供給端子４４が設けられる。前記ハンドル支持部電源供給端子４４は、前記回転部４２の前端に延設され、前記ハンドル支持部２０の一側側面へ電源を供給する役割を果たす。すなわち、前記ケーブルＣによって伝達される電力は、前記回転部４２の前端に所定の長さだけ延設されるハンドル支持部電源供給端子４４を介して、前記ハンドル支持部２０の一側に設けられる電源端子へ供給する。
【００６１】
また、前記ハンドル支持部２０の他側には携帯端末電源供給端子４６が設けられる。前記携帯端末電源供給端子４６は、前記ハンドル支持部２０の他側に突設され、その端部には前記携帯端末１０の充電端子が締結できる。
【００６２】
これは、前記ハンドル支持部電源供給端子４４を介して伝達される電力を前記携帯端末電源供給端子４６を介して前記携帯端末１０へ伝送して充電する。
併せて、前記ハンドル支持部電源供給端子４４および携帯端末電源供給端子４６は、前記ハンドルＨの前面に長い前記ケーブルＣの構成を設置しないようにして、簡潔で美しい外観を持つことができるようにする役割を果たす。
【００６３】
また、前記固定部４０の前端にはローラー４８が設けられる。前記ローラー４８は、前記固定部４０の内側に巻き取られて設けられる前記ケーブルＣの引き抜きおよび引き込みが容易に行われるようにする役割を果たす。すなわち、前記ケーブルＣが前記固定部４０の外部に対して引き抜きおよび引き込みされるとき、前記ローラー４８が回転するようになり、前記ケーブルＣが捩れたり摩擦により外部被覆が破損したりすることを防止する。
【００６４】
また、前記携帯端末支持部３０の上端には、前記携帯端末１０以外に映像出力部５０が設けられてもよい。すなわち、映像出力部５０は、前記携帯端末支持部３０の上端に設けられ、前記携帯端末１０の映像を無線通信で受信して映像を出力する役割を果たす。より詳しくは、前記映像出力部５０は、前記携帯端末１０から出力される映像と同一の映像を出力して前記携帯端末１０を前記携帯端末支持部３０に締結しなくても、前記携帯端末１０の映像を同様に視聴することができるようにする。
【００６５】
また、前記携帯端末支持部３０には回動部６０がさらに設けられてもよい。前記回動部６０は、前記携帯端末支持部３０の上端で独立して回動可能に設けられる。これは、後述されるベアリングによって回動自在に設けられ且つ前記携帯端末支持部３０に固定支持される前記携帯端末１０または映像出力部５０が前記ハンドルＨの回転によっても前記携帯端末支持部３０の上端で同じ位置を維持することができるようにする。
【００６６】
前記回動部６０の内側にはベアリング６２およびウェイト６４が設けられる。すなわち、前記回動部６０の内側には、前記回動部６０の中心部に設けられるベアリング６２と、前記回動部６０の下端に設けられる所定の方向に荷重を発生させるウェイト６４によって常に同じ傾きを維持する。例えば、前記回動部６０は、前記ハンドルＨが一側方向に回転するとき、前記ベアリング６２およびウェイト６４により前記回動部６０が他側方向に回転して同じ傾きを維持することで前記携帯端末１０または映像出力部５０が同じ傾きを維持することができるようにする役割を果たす。
【００６７】
このように、上述した本発明の技術的構成は、本発明の属する技術分野における当業者であれば、本発明のその技術的思想や必須的特徴を変更することなく、他の具体的な形態で実施できることを理解することができるだろう。
【００６８】
したがって、上述した実施形態は、あらゆる面で例示的なもので、限定的なものではないと理解されるべきである。本発明の範囲は前記詳細な説明よりは後述の特許請求の範囲によって現れ、特許請求の範囲の意味、範囲およびその等価概念から導出されるすべての変更または変形形態も本発明の範囲に含まれると解釈されるべきである。
【図面の簡単な説明】
【００６９】
【図１】本発明に係る車両のハンドルに取り付けられる携帯電話ホルダーの装着状態を示す正面図である。
【図２】本発明に係る車両のハンドルに取り付けられる携帯電話ホルダーを示す分解斜視図である。
【図３】本発明に係る車両のハンドルに取り付けられる携帯電話ホルダーの平面図である。
【図４】本発明に係る車両のハンドルに取り付けられる携帯電話ホルダーの締結状態を示す側断面図である。
【図５】本発明に係る車両のハンドルに取り付けられる携帯電話ホルダーの締結状態を示す平面図である。
【図６】本発明に係る車両のハンドルに取り付けられる携帯電話ホルダーの映像出力部を示す正面図である。
【図７】本発明に係る車両のハンドルに取り付けられる携帯電話ホルダーの弾性支持部材が変形する前の状態を示す正面図および側面図である。
【図８】本発明に係る車両のハンドルに取り付けられる携帯電話ホルダーの弾性支持部材が変形した状態を示す側面図である。
【図９】本発明に係る車両のハンドルに取り付けられる携帯電話ホルダーの弾性支持部材が変形した状態を示す斜視図である。
【図１】
2017523943.tif 000003
【図２】
2017523943.tif 000004
【図３】
2017523943.tif 000005
【図４】
2017523943.tif 000006
【図５】
2017523943.tif 000007
【図６】
2017523943.tif 000008
【図７】
2017523943.tif 000009
【図８】
2017523943.tif 000010
【図９】
2017523943.tif 000011
【国際調査報告】
2017523943.tif 000012
2017523943.tif 000013
2017523943.tif 000014
2017523943.tif 000015